(57)【要約】【課題】一般家庭や店舗の敷地内の雪を融雪する融雪装置を構成する融雪装置用発熱パネルにおいて、地表面に設置可能な耐久強度を得て、その維持管理を簡単にできるようにするとともに、寒冷地の降雪特性に最適な融雪性能を発揮することで、融雪時間の短縮と、節電による省エネルギーを図り、設置作業も簡単にできるようにする。【解決手段】融雪用熱量を供給する加熱手段３の外周を額縁状に形成する第１の枠体５と第２の枠体６とで囲い、加熱手段３の上面を第１の枠体５、第２の枠体６に係止する表面プレート４を第１の枠体５、第２の枠体６により覆い、第１の枠体５、第２の枠体６を伝導部材で形成した第１の連結手段１０で連結する。【選択図】  図１
2004324213.tif 000002
【特許請求の範囲】
【請求項１】
融雪用熱量を供給する加熱手段と、この加熱手段の外周を囲い額縁状に形成する複数の枠体と、前記加熱手段の上面を覆い前記枠体に係止する表面プレートとを備え、前記複数の枠体を伝導部材で形成した連結手段で連結した融雪装置用発熱パネル。
【請求項２】
連結手段は、額縁状伝導部材、略Ｌ形伝導部材または電線部材で構成し、複数の枠体に係止し、複数の枠体を連結した請求項１記載の融雪装置用発熱パネル。
【請求項３】
連結手段は、平面状に形成した伝導部材で構成し、複数の枠体に係止して、加熱手段の下面を覆うように配設した請求項１記載の融雪装置用発熱パネル。
【請求項４】
融雪用熱量を供給する加熱手段と、この加熱手段の外周を囲い額縁状に形成する複数の枠体と、前記加熱手段の上面を覆い前記枠体に載置係止する表面プレートとを備え、前記複数の枠体と表面プレートの間に伝導部材で形成した防磁部材を配設した融雪装置用発熱パネル。
【請求項５】
防磁部材は、表面に突起部を有する伝導部材または高抵抗率で高透磁性部材を内包するゴム部材で形成した請求項４記載の融雪装置用発熱パネル。
【請求項６】
融雪用熱量を供給する加熱手段と、この加熱手段の外周を囲い額縁状に形成する複数の枠体と、前記加熱手段の上面を覆い前記枠体に係止する表面プレートとを備え、前記加熱手段は、下面に被覆部材を有し、この被覆部材に高抵抗率で高透磁性部材よりなる結合部材を配設した融雪装置用発熱パネル。
【発明の詳細な説明】
【０００１】
【発明の属する技術分野】
本発明は、一般家庭や店舗の敷地内の雪を融雪する融雪装置を構成する融雪装置用発熱パネルに関するものである。
【０００２】
【従来の技術】
従来、積雪の多い寒冷地においては、公共の道路はもとより、一般家庭や店舗の敷地、特に歩道から一般家庭の玄関、車庫あるいは駐車スペースまでのアプローチの除雪作業が積雪期の日常生活での大きな問題とされてきている。
【０００３】
これを解決するものとしては、発熱体として電熱線や温水パイプ等を敷地内の地面に埋設して、路面の加熱を行うことで融雪を行う融雪装置が提案されている（例えば、特許文献１参照）。すなわち、「電熱線」は通電することでジュール熱によって発熱するものであり、「温水パイプ」は灯油ボイラーの燃焼で加熱した温水（実際は不凍液）を熱媒として循環することで発熱するものである。
【０００４】
これらの加熱によって路面温度を上昇させて、路面上の雪を融雪するものである。このような融雪装置は、ロードヒーティング装置、あるいはロードヒーティングとも呼ばれる。
【０００５】
図１３はその融雪装置１００の例を示しており、発熱体としての電熱線１０４は、路床部１０１の上面に金属メッシュとともに敷設されて、コンクリート路盤部１０２、アスファルト舗装部１０３にて埋設されている。もちろん、電熱線１０４の位置に温水パイプを埋設したものもあるが、その埋設部の基本的な構成は同様である。
【０００６】
そして、融雪装置１００は、降雪１０５を検知するために、降雪センサー、気温センサー、地温センサー、水分センサー（センサー類の図示は省略）を備えて、各センサーからの信号に応じて自動運転、あるいは使用者の判断で手動運転する制御装置を備えている。
【０００７】
また、玄関先や階段といった、主として人の通行が行われる場所には、単に置くだけでよいマット状の発熱体で融雪するものもある（例えば、特許文献２参照）。これは、一般には、加熱手段をその内部に一体に成形したゴムシート状のクッション材であって、降雪時に通電すれば、比較的に速やかに表面の雪を融雪できるものである。このようなものは融雪マットあるいは発熱マットとも呼ばれている。
【０００８】
【特許文献１】
特開平１１−３３６０３８号公報
【特許文献２】
特開平０２−１０８２９１号公報
【０００９】
【発明が解決しようとする課題】
しかしながら、上述の従来構成の融雪装置１００では、発熱体である電熱線１０４や温水パイプを地表から約１００ｍｍの地中に埋設している。このため、降雪１０５をセンサーが検知して、ただちに自動運転を開始、または手動による運転を開始しても、しばらくの間は、発熱体である電熱線１０４はその上部の地面を加熱することで、融雪装置１００全体の温度を上昇させるために、運転時間と電気エネルギーを必要として、降雪１０５によって地表に堆積する雪をただちに融雪するには至らない。このように、融雪までに時間がかかる。温水パイプでも、この点では同様である。
【００１０】
また、降雪１０５は、通常２４時間連続的に発生することは少なくて、間欠的に降雪することが多い。したがって、融雪装置１００の運転も、間欠的であることが多くて、その都度、低温度の外気によって、融雪装置１００の温度は低下する。そこで、次回の降雪時には、一度冷却した路面全体を再度加温するために時間が必要である。このような原因によっても、電気あるいは灯油の消費量が多くなるので、ランニングコストが高い。
【００１１】
このように、積雪期全体を通して考えると、融雪装置１００自体の温度上昇のために使用されるエネルギーの割合が大きく、また、間欠的な運転によるエネルギーの損失も大きい。この点からみると、従来の融雪装置はその融雪性能が不適切であって、エネルギーの利用効率が低いといえる。
【００１２】
もちろん、土木工事によって、地中に発熱体を埋設する融雪装置１００であるから、その施工には長時間の工期が必要で、そのための工事費も高い。
【００１３】
また、地表面に設置できる融雪マットの場合も、一般にはゴムシートの厚さが約１０ｍｍ程度のものであって、自動車等の重量により加熱手段に直接、荷重がかかるため、駐車場に設置できるだけの強度は有していない。また、傘の先端やスコップ等、鋭利なもので突いた時の強度も、ゴムシートでは十分とはいえない。
【００１４】
したがって、このような構成のものでは、駐車スペースやそのアプローチとしての耐久強度に関して問題があるといえる。また、表面の傷や変色等によって劣化した場合には、発熱体全体を交換する必要があって、日常の維持管理には相当の作業と交換費用を要するので、メンテナンス性に優れているとはいえない。
【００１５】
すなわち、従来の融雪装置１００や融雪マットでは、敷地内の駐車スペースやアプローチに用いるには、その融雪性能あるいは耐久強度やメンテナンス、設置作業性に関して問題を有する。
【００１６】
本発明は上記従来の課題を解決するもので、地表面に設置可能な耐久強度を得て、その維持管理を簡単にできるようにするとともに、寒冷地の降雪特性に最適な融雪性能を発揮することで、融雪時間の短縮と、節電による省エネルギーを図り、設置作業も簡単にできるようにすることを目的としている。
【００１７】
【課題を解決するための手段】
本発明は上記目的を達成するために、融雪用熱量を供給する加熱手段の外周を額縁状に形成する複数の枠体で囲い、加熱手段の上面を枠体に係止する表面プレートにより覆うよう構成し、複数の枠体を伝導部材で形成した連結手段で連結したものである。
【００１８】
これにより、地表面に設置可能な耐久強度を得て、その維持管理を簡単にできるとともに、寒冷地の降雪特性に最適な融雪性能を発揮することで、融雪時間の短縮と、節電による省エネルギーを図り、設置作業も簡単にすることができる。
【００１９】
【発明の実施の形態】
本発明の請求項１に記載の発明は、融雪用熱量を供給する加熱手段と、この加熱手段の外周を囲い額縁状に形成する複数の枠体と、前記加熱手段の上面を覆い前記枠体に係止する表面プレートとを備え、前記複数の枠体を伝導部材で形成した連結手段で連結したものであり、路面上に設置できるようにしているので、降雪時に加熱手段に融雪電力を供給すると表面プレートの温度が速やかに上昇して融雪でき、従来の地中埋め込み式の融雪装置に比較して熱エネルギーのロスが少なく、省エネルギー、省電力を実現することができる。
【００２０】
また、加熱手段の熱エネルギーは、直接表面プレートに伝達されるものと、枠体を介在して表面プレートに伝達されるものがあるが、枠体を伝導性の連結手段により結合しているので、枠体を介在して表面プレートに伝達される熱エネルギーを増加させるとともに、表面プレート外周の温度上昇を向上して、融け残りの発生を抑制できて高効率で融雪むらのないようにできる。
【００２１】
また、枠体を伝導性の連結手段で結合して、枠体、表面プレートを電気的に一体化することにより、加熱手段に高周波電力を供給して表面プレートを電磁誘導加熱する場合においては、加熱手段の周囲に発生する高周波磁界を枠体が吸収して温度上昇し、表面プレートの温度を効率よく上昇することができる。
【００２２】
さらに、加熱手段の周囲に発生する高周波磁界は、複数の枠体と表面プレートの接触面の微細な隙間から発熱パネルの外方に漏れて、発熱パネル近傍の電子機器などの誤作動を引き起こす場合があるが、複数の枠体を伝導部材で結合する連結手段を設けているので、複数の枠体が電気的ループを形成して高周波磁界を吸収することができ、発熱パネルの外方への漏れを抑制できて、発熱パネル近傍の電子機器などの誤作動を防止でき、融雪を必要とするどのような場所にも設置することができる。
【００２３】
また、発熱パネルは表面プレートにかかる荷重を複数の枠体で支える構成にしているので自動車の乗降にも対応でき、駐車場にも設置することができる。さらに、発熱パネルを地表面に設置できる構成なので、地中への埋め込み工事が不要で、設置工事費用が削減できるとともに、修理、メンテナンスも簡単に行うことができ、維持管理費用を削減することができる。
【００２４】
請求項２に記載の発明は、上記請求項１に記載の発明において、連結手段は、額縁状伝導部材、略Ｌ形伝導部材または電線部材で構成し、複数の枠体に係止し、複数の枠体を連結したものであり、簡単な構成で、複数の枠体を熱的に一体に結合させ、加熱手段からの熱エネルギーを効率良く枠体に吸収させて表面プレートに伝達することができる。
【００２５】
さらに、複数の枠体を電気的に一体に結合しているので、表面プレートを電磁誘導加熱する場合においても、複数の枠体が電気的ループを形成して高周波磁界を吸収するので、発熱パネルの外方への漏れを抑制することができて、発熱パネル近傍の電子機器などの誤作動を防止できるので、融雪を必要とするどのような場所にも設置することができる。
【００２６】
また、額縁状に形成した伝導部材は、加熱手段の外周部からの輻射熱を吸収して効率良く表面プレートに伝達することができ、また、略Ｌ形伝導部材、電線部材は、少ない材料で複数の枠体を一体的に結合することができ、額縁状伝導部材に近似した効果を発揮することができる。
【００２７】
請求項３に記載の発明は、上記請求項１に記載の発明において、連結手段は、平面状に形成した伝導部材で構成し、複数の枠体に係止して、加熱手段の下面を覆うように配設したものであり、複数の枠体を電気的、熱的に一体に結合して加熱手段からの熱エネルギーを効率よく枠体に吸収させて表面プレートに伝達することができ、特に加熱手段の下面を覆う構成にしているので、加熱手段の下面の輻射熱を吸収して、枠体、表面プレートに熱伝達するので、表面プレートの温度上昇効果を大きくすることができる。
【００２８】
また、平面状の伝導部材は、複数の枠体を電気的に一体結合しているので、表面プレートを電磁誘導加熱する場合においても、複数の枠体が電気的ループを形成し、複数の枠体と表面プレートの接触面の微細な隙間からの高周波磁界の漏れを抑制して電子機器などの誤作動を防止することができる。
【００２９】
さらに、加熱手段の下面を覆っているので、設置路面への漏れを抑制し、路面を通過して地表空間に放散される高周波磁界を減少させて近傍の電子機器などへの影響を防止することができる。
【００３０】
請求項４に記載の発明は、融雪用熱量を供給する加熱手段と、この加熱手段の外周を囲い額縁状に形成する複数の枠体と、前記加熱手段の上面を覆い前記枠体に載置係止する表面プレートとを備え、前記複数の枠体と表面プレートの間に伝導部材で形成した防磁部材を配設したものであり、加熱手段に電力を供給して表面プレートを温度上昇させて融雪することができ、伝導部材で形成した防磁部材は、加熱手段への電力供給を高周波電力による電磁誘導加熱を行う場合に、加熱手段から生じる高周波磁界が複数の枠体と表面プレートの接触面の微細な隙間から、発熱パネルの外方へ漏れるのを抑制できて、近傍の電子機器などに影響を与えて誤作動するのを防止することができる。
【００３１】
請求項５に記載の発明は、上記請求項４に記載の発明において、防磁部材は、表面に突起部を有する伝導部材または高抵抗率で高透磁性部材を内包するゴム部材で形成したものであり、表面に突起部を有する伝導部材は、突起部が枠材表面と表面プレートの裏面に点もしくは線接触して接触圧力を大きくして、枠材と表面プレートの電気的な一体化を向上させ、高周波磁界の漏れを抑制する能力を向上することができる。
【００３２】
また、高抵抗率で高透磁性部材を内包するゴム部材は、枠材と表面プレートの密着性を向上し、さらに、内包するフェライト紛体などの高抵抗率で高透磁性部材により高周波磁界の吸収をよくし、外方への漏れを抑制する能力を向上することができる。
【００３３】
請求項６に記載の発明は、融雪用熱量を供給する加熱手段と、この加熱手段の外周を囲い額縁状に形成する複数の枠体と、前記加熱手段の上面を覆い前記枠体に係止する表面プレートとを備え、前記加熱手段は、下面に被覆部材を有し、この被覆部材に高抵抗率で高透磁性部材よりなる結合部材を配設したものであり、加熱手段の下側に高抵抗率で高透磁性部材よりなる結合部材を設けているので、表面プレートを電磁誘導加熱する場合においても加熱手段から生じる高周波磁界を結合部材が吸収し、設置路面への漏れを抑制することができ、路面を通過して地表空間に放散される高周波磁界を減少させて近傍の電子機器などへの影響を防止することができる。さらに、結合部材は、高周波磁界を吸収することにより発熱し、発熱パネル内部の温度を上昇させ、加熱効率を向上させて省エネルギー、省電力を実現することができる。
【００３４】
【実施例】
以下、本発明の実施例について、図面を参照しながら説明する。
【００３５】
（実施例１）
図２に示すように、発熱パネル１は、路面上２に設置して降雪地域の家庭や店舗の駐車場、歩道、アプローチ、階段の降雪を融雪するもので、必要に応じて、単独または複数配設する。
【００３６】
発熱パネル１は、図１に示すように、融雪用熱量を供給する加熱手段３の外周を第１の枠体５と第２の枠体６で構成する複数の枠体で囲い、額縁状に形成している。加熱手段３の上面を第１の枠体５と第２の枠体６に固定手段４ａにより係止した表面プレート４で覆い、第１の枠体５、第２の枠体６を伝導部材で構成した第１の連結手段（連結手段）１０で連結している。
【００３７】
第１の連結手段１０は、額縁状に形成し、第１の枠体５のフランジ５ａと第２の枠体６のフランジ６ａに係止手段１１により係止している。加熱手段３は、下面に第２の被覆部材８を設け、この第２の被覆部材８に高抵抗率で高透磁性部材よりなる結合部材９を配設している。第１の被覆部材７は、加熱手段３の上面に配設した保護カバーで、取り扱い性を向上するため必要に応じて設ける。
【００３８】
図３は、連結手段の他の例の第２の連結手段１２を示すもので、第１の枠体５、第２の枠体６を伝導部材で構成した第２の連結手段１２で連結している。第２の連結手段１２は、略Ｌ形に形成し、第１の枠体５のフランジ５ａと第２の枠体６のフランジ６ａの端部に係止している。
【００３９】
また、図４は、連結手段の他の例の第３の連結手段１３を示すもので、第１の枠体５、第２の枠体６を伝導部材で構成した第３の連結手段１３で連結している。第３の連結手段１３は、電線部材で形成し、第１の枠体５のフランジ５ａと第２の枠体６のフランジ６ａの端部に係止している。
【００４０】
また、図５は、連結手段の他の例の第４の連結手段１４を示すもので、第４の連結手段１４は、平面状に形成して周囲を係止手段１１により第１の枠体５のフランジ５ａと第２の枠体６のフランジ６ａに係止し、加熱手段３の底面を覆うように構成している。
【００４１】
これら第１の連結手段１０、第２の連結手段１２、第３の連結手段１３、第４の連結手段１４は、それぞれ鉄系、非鉄系を問わず、電気的、熱的な伝導部材で構成する。また、各連結手段の第１の枠体５と第２の枠体６への係止は、枠体のフランジ５ａ、６ａに係止した例を記載しているが、これに限定されるものではなく、第１の枠体５、第２の枠体６の側面などの表面プレート４を載置するのに邪魔にならない個所であればよい。
【００４２】
なお、固定手段４ａ、連結手段１１は、ねじ止め、ボルトを固着しナット止め、かしめ、溶接などいずれであってもよい。
【００４３】
また、本発熱パネル１を備えた融雪装置が、降雪を検知する各種のセンサー（降雪センサー、気温センサー、地温センサーなどで、図示は省略）を適宜備え、各センサーからの信号に応じて自動運転をさせたり、使用者の判断で手動運転するための制御装置を備えている点は、従来のものと同様である。
【００４４】
上記構成において発熱パネル１の施工方法、運転動作および作用を説明する。施工方法は、路面上２に融雪面積に対応して必要な数量の第１の枠体５と第２の枠体６を額縁状に設置し、第１の連結手段１０、第２の連結手段１２、第３の連結手段１３、第４の連結手段１４を単独または併用して、第１の枠体５と第２の枠体６に係止手段１１により係止する。
【００４５】
つぎに、加熱手段３を第１の枠体５と第２の枠体６で形成した額縁状の凹部に配設するとともに、表面プレート４を固定手段４ａにより第１の枠体５と第２の枠体６の上面に固定する。また、加熱手段３に電力を供給する電源ケーブルは、発熱パネル１から引き出して、融雪電源（必要に応じて制御装置を介在させる）に接続する。
【００４６】
つぎに、運転動作と作用について説明する。降雪時に加熱手段３に自動運転または手動運転により電力を供給すると、加熱手段３が発熱して表面プレート４、第１の枠体５、第２の枠体６、第１の連結手段１０、第２の連結手段１２、第３の連結手段１３、第４の連結手段１４の温度を上昇させて、表面プレート４上の降雪を融雪する。
【００４７】
表面プレート４は、加熱手段３により直接加熱する熱エネルギーおよび第１の枠体５、第２の枠体６から供給される熱エネルギーによって温度上昇するが、第１の枠体５、第２の枠体６に第１の連結手段１０、第２の連結手段１２、第３の連結手段１３、第４の連結手段１４を設けて、加熱手段３の熱エネルギーの吸収を向上させるとともに、第１の枠体５、第２の枠体６を額縁状に一体化して均一に熱伝達できるので、加熱手段３の外周部に位置する表面プレート４の温度上昇を向上して融雪状態のばらつきを低減して、均一に融雪できる。
【００４８】
また、第４の連結手段１４は、平面状に形成して加熱手段３の下面を覆って構成しているので、加熱手段３の下方への熱エネルギーも吸収して第１の枠体５、第２の枠体６に伝達するので、表面プレート４の温度上昇を一層速める効果を有する。
【００４９】
このように、第１の枠体５、第２の枠体６を連結手段で連結して加熱手段３の熱エネルギーを効率よく伝達する発熱パネル１を路面上に設置しているので、従来の発熱体を地中に埋設した方式に比べて、上部の地面を加熱する必要がなく、表面プレート４（融雪面）の温度を急速に上昇させて速やかに融雪することができる。また、連結手段により、第１の枠体５、第２の枠体６の温度が均一となり、表面プレート４上の融雪を均一に行うことができる。
【００５０】
また、実際の降雪は１日中連続して発生することは少なくて間欠的に生じることが多く、融雪装置の運転も間欠的になる。このような場合において、必要な時に高速で融雪し、不要なときは運転を停止すればよいので、省電力でランニングコストを低減することができる。
【００５１】
また、加熱手段３に高周波電力を供給して表面プレート４を電磁誘導加熱する場合においては、加熱手段３より高周波磁界が発生し、第１の枠体５、第２の枠体６と表面プレート４の接触面の微細な隙間から発熱パネルの外方に漏れ、近傍の電子機器などに影響を与えて誤作動を発生させることがある。
【００５２】
このような電磁誘導加熱においても、第１の枠体５、第２の枠体６を伝導部材で構成する第１の連結手段１０、第２の連結手段１２、第３の連結手段１３、第４の連結手段１４の単独もしくは併用によって、第１の枠体５、第２の枠体６を一体的に結合して電気的ループを形成しているので、加熱コイル３から発生する高周波磁界を第１の枠体５、第２の枠体６および第１の連結手段１０、第２の連結手段１２、第３の連結手段１３、第４の連結手段１４が吸収して発熱パネル１の外方に漏れるのを抑制し、近傍の電子機器などが誤作動を防止することができる。
【００５３】
さらに、第４の連結手段１４の場合は、加熱手段３の下面を覆っているので、設置路面への漏れを抑制することができ、路面を通過して地表空間に放散される高周波磁界を減少させ、近傍の電子機器などの誤作動を防止する性能を向上することができる。
【００５４】
また、高周波磁界を第１の枠体５、第２の枠体６および第１の連結手段１０、第２の連結手段１２、第３の連結手段１３、第４の連結手段１４が吸収することにより、第１の枠体５、第２の枠体６および第１の連結手段１０、第２の連結手段１２、第３の連結手段１３、第４の連結手段１４が温度上昇し、表面プレート４の温度を上げ、融雪能力を高める効果を発揮する。
【００５５】
また、第１の枠体５、第２の枠体６により、加熱手段３を保護しているので、自動車などの重量にも充分に耐えることができ、駐車場に設置することができる。
【００５６】
さらに、発熱パネル１を路面に載置するだけで設置することができ、土木工事を不要とし、設置工事に要する費用が大幅に削減でき、施工性を向上することができる。
【００５７】
また、本発明の発熱パネルを備えた融雪装置に通常用いられる降雪センサーや温度センサーを設ければ、融雪用熱量の供給と停止が自動的に行うことができ、使用者の利便性が図れる。
【００５８】
（実施例２）
図６および図７に示すように、融雪用熱量を供給する加熱手段３の外周を第１の枠体５と第２の枠体６で構成する複数の枠体で囲い、額縁状に形成している。加熱手段３の上面を第１の枠体５と第２の枠体６に固定手段４ａにより係止した表面プレート４で覆い、第１の枠体５、第２の枠体６と表面プレート４の間に伝導部材で形成した防磁部材１５を配設している。
【００５９】
防磁部材１５は、図８に示すように、端面部に上方および下方への折り曲げ片を形成し、第１の枠体５、第２の枠体６の上面と表面プレート４の下面に折り曲げ片を当接、挟持して表面プレート４を第１の枠体５、第２の枠体６に係止している。他の構成は上記実施例１と同じである。
【００６０】
上記構成において作用を説明すると、防磁部材１５の折り曲げ片が第１の枠体５、第２の枠体６の上面と表面プレート４の裏面に点または、線接触することにより、接触圧力を大きくすることができて、第１の枠体５、第２の枠体６と表面プレート４の電気的な一体化を向上させている。これにより、表面プレート４を電磁誘導加熱する場合においても、加熱手段３から生じる高周波磁界が発熱パネル１の外方へ漏れるのを抑制することができ、近傍の電子機器などへの影響を一層減少させることができ、融雪を必要とするどのような場所へも設置することができる。
【００６１】
図９は、防磁部材の他の例の防磁部材１６を示すもので、防磁部材１６は端部を串状に形成し、この串状部を曲げて爪状突起を形成し、第１の枠体５、第２の枠体６の上面と表面プレート４の下面に爪状突起を当接、挟持して表面プレート４を第１の枠体５、第２の枠体６に係止するようにしている。
【００６２】
また、図１０は、防磁部材の他の例の防磁部材１７を示すもので、防磁部材１７は線状の伝導部材をメッシュ状に形成し、第１の枠体５、第２の枠体６の上面と表面プレート４の下面の間に挟持して表面プレート４を第１の枠体５、第２の枠体６に係止するようにしている。
【００６３】
これら防磁部材１６、１７は、第１の枠体５、第２の枠体６の上面と表面プレート４の裏面に点状接触することにより、接触圧力を大きくできて、上記防磁部材１５と同様の作用、効果を発揮する。
【００６４】
また、図１１は、防磁部材の他の例の防磁部材１８を示すもので、防磁部材１８は高抵抗率で高透磁性部材を内包するゴム部材で形成し、第１の枠体５、第２の枠体６の上面と表面プレート４の下面の間に挟持して表面プレート４を第１の枠体５、第２の枠体６に係止するようにしている。
【００６５】
この防磁部材１８は高抵抗率で高透磁性部材を内包するゴム部材で形成することで、第１の枠体５、第２の枠体６と表面プレート４の密着性を向上することができ、さらに、内包するフェライト紛体などの高抵抗率で高透磁性部材により高周波磁界の吸収をよくし、外方への漏れを抑制する能力を向上することができる。
【００６６】
（実施例３）
図１に示す加熱手段３は、図１２に示すように、下面に第２の被覆部材８を設け、この第２の被覆部材８に高抵抗率で高透磁性部材よりなる結合部材９を配設している。第１の被覆部材７は、加熱手段３の上面に配設した保護カバーで、取り扱い性を向上するため必要に応じて設ける。他の構成は上記実施例１と同じである。
【００６７】
上記構成において作用を説明すると、電磁誘導加熱により加熱手段３に高周波電力を供給すると、加熱手段３の周囲に高周波磁界が発生して上面の表面プレート４が温度上昇し、下面側は結合部材９により高周波磁界を上面側へ還流して加熱効率を向上することができる。
【００６８】
さらに、結合部材９は、高周波磁界を吸収することにより発熱し、発熱パネル１内部の温度を上昇させ、加熱効率を向上して省エネルギー、省電力の発熱パネル１を提供することができる。また、結合部材９は、加熱手段３の下面に配設しているので、高周波磁界の設置路面への漏れを抑制することができ、路面を通過して地表空間に放散される高周波磁界を減少させ、近傍の電子機器などの誤作動を防止する性能を向上することができ、融雪を必要とするどのような場所にも設置することができる。
【００６９】
【発明の効果】
以上のように本発明の請求項１に記載の発明によれば、融雪用熱量を供給する加熱手段の外周を額縁状に形成する複数の枠体で囲い、加熱手段の上面を枠体に軽視する表面プレートにより覆い、複数の枠体を伝導部材で形成した連結手段で連結したから、融雪パネルを路面上に設置できるとともに、複数の枠体を伝導部材で連結しているので、降雪時に融雪用熱量を供給して速やかに表面プレート上の雪を融雪でき、省エネルギー、省電力を実現することができ、また、表面プレートを電磁誘導加熱する場合においても、高周波磁界が発熱パネルの外方へ漏れるのを抑制して近傍の電子機器などの誤作動を防止できるので、融雪の必要などのような場所にも設置できる。また、表面プレートにかかる荷重を複数の枠体で支える構成としているので、自動車など駐車場の路面に設置して融雪することができ、さらに、発熱パネルを路面上に設置する構成としているので、路面への埋設工事が不要で、設置工事費用を低減できるとともに、故障修理も容易にできてメンテナンス性に優れている。
【００７０】
また、請求項２に記載の発明によれば、連結手段は、額縁状伝導部材、略Ｌ形伝導部材または電線部材で構成し、複数の枠体に係止し、複数の枠体を連結したから、連結手段を額縁状伝導部材で構成することで、加熱手段からの熱エネルギーを効率よく吸収して表面プレートに伝えて一層の省エネルギー、省電力の効果を発揮することができ、また、略Ｌ形伝導部材、電線部材で構成することで、簡単で、少ない材料で構成でき、安価に提供できる。さらに、複数の枠体を額縁状伝導部材、Ｌ形伝導部材、電線部材などで連結しているので、表面プレートを電磁誘導加熱する場合においても、高周波磁界が発熱パネルの外方へ漏れるのを抑制して近傍の電子機器などの誤作動を防止できるので、融雪の必要などのような場所にも設置できる。
【００７１】
また、請求項３に記載の発明によれば、連結手段は、平面状に形成した伝導部材で構成し、複数の枠体に係止して、加熱手段の下面を覆うように配設したから、加熱手段の下面の熱エネルギーを効率よく吸収して表面プレートに伝えるので、発熱パネルの省エネルギー、省電力を実現することができ、さらに、伝導部材を平面状にして加熱手段の下面を覆っているので、表面プレートを電磁誘導加熱する場合においても、高周波磁界が発熱パネルの下方の路面に漏れるのを抑制して近傍の電子機器などの誤作動を防止できるので、融雪の必要などのような場所にも設置できる。
【００７２】
また、請求項４に記載の発明によれば、融雪用熱量を供給する加熱手段の外周を額縁状に形成する複数の枠体で囲い、加熱手段の上面を枠体に載置係止する表面プレートにより覆い、複数の枠体と表面プレートの間に伝導部材で形成した防磁部材を配設したから、表面プレートを電磁誘導加熱する場合においても、高周波磁界が発熱パネルの外方へ漏れるのを抑制して近傍の電子機器などの誤作動を防止できるので、融雪の必要などのような場所にも設置できる。
【００７３】
また、請求項５に記載の発明によれば、防磁部材は、表面に突起部を有する伝導部材または高抵抗率で高透磁性部材を内包するゴム部材で形成したから、表面に突起部を設けた伝導部材で形成した防磁部材により枠体と表面プレートの接触圧力を大きくし、防磁性を高めているので、表面プレートを電磁誘導加熱する場合においても、高周波磁界が発熱パネルの外方への漏れを抑制して近傍の電子機器などの誤作動を防止できるので、融雪の必要などのような場所にも設置できる。また、防磁部材を高抵抗率で高透磁性部材を内包するゴム部材とした構成の場合には、枠体と表面プレートとの密着性を高めることができ、高周波磁界が発熱パネルの外方への漏れを防止する性能を一層向上することができる。
【００７４】
また、請求項６に記載の発明によれば、融雪用熱量を供給する加熱手段の外周を額縁状に形成する複数の枠体で囲い、加熱手段の上面を枠体に載置係止する表面プレートにより覆い、加熱手段は、下面に被覆部材を有し、この被覆部材に高抵抗率で高透磁性部材よりなる結合部材を配設したから、結合部材は高周波磁界を吸収して発熱し、発熱パネルの温度を上昇させて、一層の省エネルギー、省電力を図ることができ、さらに、結合部材が加熱手段の下面側への高周波磁界を吸収し、高周波磁界が発熱パネルの下方の路面に漏れるのを抑制して近傍の電子機器などの誤作動を防止できるので、融雪の必要などのような場所にも設置できる。
【図面の簡単な説明】
【図１】本発明の第１の実施例の融雪装置用発熱パネルの一部切欠した平面図
【図２】同融雪装置用発熱パネルにより構成した融雪装置の平面図
【図３】同融雪装置用発熱パネルの他の例の要部平面図
【図４】同融雪装置用発熱パネルの他の例の要部平面図
【図５】同融雪装置用発熱パネルの他の例の一部切欠した平面図
【図６】本発明の第２の実施例の融雪装置用発熱パネルの一部切欠した平面図
【図７】同融雪装置用発熱パネルの要部断面図
【図８】同融雪装置用発熱パネルの防磁部材の斜視図
【図９】（ａ）同融雪装置用発熱パネルの防磁部材の他の例の平面図
（ｂ）同融雪装置用発熱パネルの防磁部材の他の例の側面図
【図１０】同融雪装置用発熱パネルの防磁部材の他の例の側面図
【図１１】同融雪装置用発熱パネルの防磁部材の他の例の側面図
【図１２】本発明の第３の実施例の融雪装置用発熱パネルの要部断面図
【図１３】従来の融雪装置の要部断面図
【符号の説明】
３  加熱手段
４  表面プレート
５  第１の枠体（枠体）
６  第２の枠体（枠体）
１０  第１の連結手段（連結手段）
【図１】
2004324213.tif 000003
【図２】
2004324213.tif 000004
【図３】
2004324213.tif 000005
【図４】
2004324213.tif 000006
【図５】
2004324213.tif 000007
【図６】
2004324213.tif 000008
【図７】
2004324213.tif 000009
【図８】
2004324213.tif 000010
【図９】
2004324213.tif 000011
【図１０】
2004324213.tif 000012
【図１１】
2004324213.tif 000013
【図１２】
2004324213.tif 000014
【図１３】
2004324213.tif 000015